(57)【要約】      （修正有）【課題】当該ピペットの操作性を格段に向上させる用具を提供する。【解決手段】前端に細孔４ｂを有し、その後端に内容物収納可能な筒部を有する使い捨て型の盲管状であるピペット４を操作する操作用具であり、該操作用具は、一対の圧迫部１と圧迫部係留部３とピペット保持部２を有し、該圧迫部１は、該ピペット４を挟み込んで圧迫するものであり、該圧迫部係留部は一対の該圧迫部１を開閉自在に係留するものであり、該ピペット保持部２は該ピペット４が脱落しないように保持するものであり、該ピペット４の内容物を排出吸引自在に操作可能である、使い捨て型の盲管状であるピペットを操作する操作用具である。【選択図】図３
2013192889.tif 000002
【特許請求の範囲】
【請求項１】
前端に細孔（４ｂ）を有し、その後端に内容物収納可能な筒部を有する使い捨て型の盲管状であるピペット（４）を操作する操作用具であり、
該操作用具は、一対の圧迫部（１）と圧迫部係留部（３）とピペット保持部（２）を有し、
該圧迫部（１）は、該ピペット（４）を挟み込んで圧迫するものであり、該圧迫部係留部は一対の該圧迫部（１）を開閉自在に係留するものであり、該ピペット保持部（２）は該ピペット（４）が脱落しないように保持するものであり、
該ピペット（４）の内容物を排出吸引自在に操作可能である、使い捨て型の盲管状であるピペットを操作する操作用具。
【請求項２】
該圧迫部（１）と該圧迫部係留部（３）は、一体の部材であることを特徴とする請求項１記載の使い捨て型の盲管状であるピペットを操作する操作用具。
【請求項３】
該ピペット保持部（２）は、該圧迫部係留部（３）の中央近傍に設けられた穴であることを特徴とする請求項１または２に記載の使い捨て型筒状ピペットを操作する操作用具。
【発明の詳細な説明】
【技術分野】
【０００１】
本発明は、主に歯科治療等に使用される使い捨て型筒状ピペットを操作する操作用具に関するものである。
【背景技術】
【０００２】
歯科分野においては、患者の口腔内の患部に薬液を投与、注入する操作がしばしば必要となる。その際、用いられる用具は、衛生上の観点から一回の使用毎に使い捨てるものである事が多い。
【０００３】
そのような用具としては、前端に細孔（４ｂ）を有し、その後端に内容物を収納可能な筒部を有する使い捨て型の盲管状であるピペット（４）が知られている。
これは、本体が安価な一体成型の柔軟な樹脂で構成され、本体を押圧することにより、内部の内容物が排出され、押圧から解放されると、樹脂の弾性により元の形状に戻ろうとするので、逆に内部に吸引される。この用具に、医師が薬剤を小分けに取り入れられたり、あるいは予め薬剤が工場で充填して流通販売されたりしており、この用具を用いて患者の口腔内の患部に薬液を投与、注入されたのち、使い捨てされている。
【０００４】
しかしながら、上記ピペットにあっては、細くて持ち辛く、力加減が存外難しく、必要以上に薬液が注入されたり、酷い場合には思わぬところへ飛び散ったりするトラブルが散見されるという問題があった。
【０００５】
なお、歯科用に用いられる薬剤の塗布装置として引用文献１（特許第3747220号公報）に示すようなシリンジも用いられており、このようなシリンジでは、先端部を取り替えて衛生を保つようにされている。しかしながら、先端の取り替え作業が繁雑であり、また、少量の薬液を塗布するのには向いていない。
【０００６】
また、液剤を絞り出す用具として、引用文献２（特開2006-288988号公報）には、パック絞り具が開示されているが、このパック絞り具は醤油小袋等を挟んで醤油等を絞り出すものであり、歯科用などに用いられるピペットを保持する用途は想定されていない。
【先行技術文献】
【特許文献】
【０００７】
【特許文献１】特許第3747220号公報
【特許文献２】特開2006-288988号公報
【発明の概要】
【発明が解決しようとする課題】
【０００８】
本発明は、上記した従来技術における問題点を解消すべく創案されたもので、当該ピペットの操作性を格段に向上させる用具を提供することを目的とする。
【課題を解決するための手段】
【０００９】
上記技術的課題を解決する本発明の内、
第一の発明は、
前端に細孔（４ｂ）を有し、その後端に内容物収納可能な筒部を有する使い捨て型の盲管状であるピペット（４）を操作する操作用具であり、
該操作用具は、一対の圧迫部（１）と圧迫部係留部（３）とピペット保持部（２）を有し、
該圧迫部（１）は、該ピペット（４）を挟み込んで圧迫するものであり、該圧迫部係留部は一対の該圧迫部（１）を開閉自在に係留するものであり、該ピペット保持部（２）は該ピペット（４）が脱落しないように保持するものであり、
該ピペット（４）の内容物を排出吸引自在に操作可能である、使い捨て型の盲管状であるピペットを操作する操作用具にある。
【００１０】
また、第二の発明は、第一の発明において、
該圧迫部（１）と該圧迫部係留部（３）は、一体の部材であることを特徴とする使い捨て型の盲管状であるピペットを操作する操作用具にある。
【００１１】
第三の発明は、第一の発明または第二の発明において、
該ピペット保持部（２）は、該圧迫部係留部（３）の中央近傍に設けられた穴であることを特徴とする使い捨て型筒状ピペットを操作する操作用具にある。
【発明の効果】
【００１２】
本発明は、上記した構成を具備しているので、以下に示す効果を奏する。
即ち、従来の直接指で使い捨て型の盲管状であるピペットを操作することに比べて、ピペットが大変持ちやすく、ピペットの圧迫・開放する力加減が調整しやすい。
【００１３】
また、極めて簡便な構造を有しているので、寸法が小さく収まり、とても軽量なので、扱いやすい。
さらに、本発明の用具自体は、充分な注意さえ払っていれば、患部や患者の身体に接触することなく使用可能なので、衛生的に繰り返し利用も可能である。
【図面の簡単な説明】
【００１４】
【図１】図１は、本発明の実施例を示す、側面図（ピペット保持部（２）のみ透視図）である。
【図２】図２は、本発明の実施例を示す、背面図である。
【図３】図３は、本発明の実施例を示す、正面斜視図である。
【図４】図４は、本発明で用いるピペットである。
【図５】図５は、本発明によるピペット操作態様の側面図である。
【図６】図６は、別の態様のピペット保持部を有する本発明の実施例を示す、正面図である。
【図７】図７は、別の態様のピペット保持部を有する本発明の実施例を示す、正面図である。
【図８】図８は、別の態様のピペット保持部を有する本発明の実施例を示す、正面図である。
【図９】図９は、別の態様のピペット保持部を有する本発明の実施例を示す、正面図である。
【図１０】図１０は、別の態様のピペット保持部を有する本発明の実施例を示す、正面図である。
【図１１】図１１は、別の態様のピペット保持部を有する本発明の実施例を示す、正面図（隆起部には斜視図を併用）である。
【図１２】図１２は、別の態様のピペット保持部を有する本発明の実施例を示す、側面図である。
【発明を実施するための形態】
【００１５】
以下、本発明の実施例を、図面を参照しながら説明する。
図１〜３、５は特に本願第一、第二、三の発明に即した一具体例を示したもので、いずれも、当該具体例の圧迫部(1)が直角に開口した状態であり、図１は、当該具体例の側面図であり、図２は、当該具体例の背面図であり、図３は、当該具体例の正面斜視図であり、図５は、当該具体例によるピペット操作態様の側面図である。
【００１６】
一対の圧迫部（１）（１）は、平坦な板状体であり、この例では両者は同じ形状・大きさ・材質であるが、これに限定されるものではなく、必要に応じて、それらの少なくともいずれかを異なるものとしてもよい。また、図１〜３、５に示すとおり、圧迫部（１）の手で持つ方の外側面には、厚手の板状の手持補助部（１ａ）設けて、操作性を向上させてもよい。この手持補助部（１ａ）は、圧迫部（１）とは、異なる材質・構造のものを貼りつけたものであってもよいし、圧迫部（１）と一体に成形されたものであってもよい。圧迫部の横幅は、好ましくは５〜５０ｍｍ、より好ましくは１０〜４０ｍｍ、さらに好ましくは２０〜３０ｍｍである。前記数値範囲の下限値を下回ると持ち辛く操作性が低下し、上限値を上回ると狭い患部に適応することが困難となる。圧迫部の長さは、好ましくは１５〜８０ｍｍ、より好ましくは２５〜６０ｍｍ、さらに好ましくは４０〜５０ｍｍである。前記数値範囲の下限値を下回ると持ち辛く操作性が低下し、上限値を上回ると狭い患部に適応することが困難となる。
【００１７】
また、手持補助部（１ａ）と合わせた圧迫部（１）の厚みは、好ましくは１〜１５ｍｍ、より好ましくは３〜１０ｍｍ、さらに好ましくは４〜８ｍｍである。前記数値範囲の下限値を下回ると持ち辛く操作性が低下し、上限値を上回ると狭い患部に適応することが困難となる。
【００１８】
圧迫部係留部（３）は一対の該圧迫部（１）（１）を開閉自在に係留するものであり、この例では、圧迫部（１）と圧迫部係留部（３）とは、一体の部材よりなる。これは、一枚の板の中央部に切断されない程度の切り込み乃至は溝を形成することにより、一対の圧迫部（１）（１）と圧迫部係留部（３）が連続したひとつの材料から一体的に形成できる。勿論、圧迫部係留部（３）は蝶番構造や２つの圧迫部（１）をつなぐ結合材にて構成されるものであってもよいが、前記のように一対の圧迫部（１）（１）と圧迫部係留部（３）が連続したひとつの材料から一体的に形成したほうが、構造が簡略なため、軽くて経済性にも優れている。いずれにせよ、圧迫部係留部（３）は、力を加えると自在に圧迫部（１）（１）が閉まり、力を抜くと弾性的復元力にて元に戻ろうとして、自然に圧迫部が開くことができるようになり好ましい。このように圧迫部係留部（３）が切り込み溝の切り残し代である場合にはその切り残し代の厚さは、好ましくは０．１〜０．６ｍｍ、より好ましくは０．１５〜０．４ｍｍ、さらに好ましくは０．２〜０．３ｍｍである。前記数値範囲の下限値を下回ると屈曲耐久性が低下し、上限値を上回ると屈曲することが困難となる。
【００１９】
ピペット保持部（２）は、この例では、該圧迫部係留部（３）の中央近傍に設けられた穴である。
ピペット保持部（２）は、圧迫部係留部（３）の中央近傍に設けられた穴である。左右のいずれかに若干ずれても操作性に支障がない限り問題ない。また、この例では、各圧迫部（１）に半円の穴を設け、圧迫部係留部（３）が、欠落されていることにより、略円形上の穴であるピペット保持部（２）が何れか片方の圧迫部（１）に偏らずに形成されているが、一方の圧迫部（１）に偏っていても良く、極端な場合、一方の圧迫部（１）にのみ穴があり、他方にはなくても良い。ピペット保持部（２）が図１〜３、５のように穴である場合には、用いるピペットに適合する大きさならばその直径は特に限定されるものではないが、好ましくは２〜４ｍｍ、より好ましくは２．５〜３．５ｍｍである。前記数値範囲の下限値を下回るとピペットを挿入することが困難となり、上限値を上回るとピペットを保持することが困難となる。なお、付番（２’）は、穴であるピペット保持部（２）を通して見えるもう一方の側のピペット保持部のピペット保持部側面部である。
【００２０】
次にこのピペット保持部（２）でのピペットの保持方法を当該ピペットの概要と併せて説明する。
本発明の用具を用いて操作する使い捨て型筒状ピペット（４）は、図４の通りの構造を有することが多く、即ち、前端に細孔（４ｂ）を有し、その後端に内容物収納可能な筒部を有するものであり、さらに多くの場合は、ピペット盲管端（４ａ）は、その側面図の通り、魚の尾のように、本体の直径よりも大きめに左右に広がっている構造を有している。図４にピペット盲管端上部部分図を付番（４ａ’）で示す。
【００２１】
本発明の用具の背面から前述のピペット保持部（２）の穴に、該ピペットの前端から通して、盲管端（４ａ）にて引っかかるまで挿入して、ピペットを用具に保持固定する。
ピペットの操作方法は図５に示すように、圧迫部（１）（１）のよりピペット（４）を挟み込み、圧迫すると、ピペットの内容物である、薬液乃至は空気が排出される。圧迫された状態から力を抜いて、圧迫部（１）（１）による圧迫から解放されるとピペットを構成する材質の弾性的復元力にて、元の形状に回復して、外部から吸引することができる。
【００２２】
なお、前記ピペット保持部（２）は穴である必要はなく、例えば、図６に示すように、少なくとも一方のピペット保持部（２）に少なくとも一対の突起（５ａ）を設けておいて、その間にピペットを挟み込むことでも良い。また、図７に示すように、上端部が内部傾斜している突起（５ｂ）で形成されていてもよく、さらには、図８に示すように、上端部が内部傾斜した庇を有する突起（５ｃ）も好ましい。またさらに、図９に示すように、複数の山形上端部を有する突起（５ｄ）を設けておいて、いずれかにピペットがはまり込むようにすることもできる。
【００２３】
前記突起は柔軟性を有しており、圧迫部が閉じた際に突起自体が折れ曲がるか、あるいは、突起基部の柔軟性によって倒れ込むようにして、ピペットを圧迫するのが妨げられないような構成にしておく。突起の内幅の好適な幅は、ピペット保持部（２）が図１〜３、５のように穴である場合の穴の直径と同様である。高さについては、ピペットの半径を超えていることが好ましいので、前記好適な数値範囲の半分と考えてよい。
【００２４】
また、突起列の外縁部の突起は上端部が内部傾斜している突起（５ｂ）であることが好ましい。なお、この突起は、圧迫部の全長に渡って連続して形成されていてもよいし、少なくとも一箇所、一旦途切れて入る部分があってもよい。
【００２５】
あるいは、図１０に示すように、粘着部材（６）を設けて、ピペットを粘着してもよい。
または、図１１に示すように、少なくとも一方の圧迫部（１）に窪み部（７）を設けておいて、この窪み部（７）にピペットを安定的に保持することも好ましい。その際、窪みが深い場合でも、充分にピペットが圧迫されるように、窪みに対応した隆起部（８）を他方の圧迫部（１）に設けることも好ましい。この隆起部（８）は、圧迫部係留部（３）に近い部分には先細り部（８ａ）を有することが好ましい。この場合先細りしているのは隆起部の幅のみでなく、高さも徐々に低くなっていることが好ましい。この隆起部（８）は前記突起（５ａ）〜（５ｃ）について利用してもよい。
【００２６】
なお、前記ピペット保持部（２）は貫通した穴である必要はなく、例えば、図１２に示すように、盲管構造（９）であってもよい。これは貫通した穴の場合にも用いることは可能ではあるが、この場合には、本発明の用具の前面から差し込む形態が好適であり、その場合には当該盲管内に、返し状構造、則ち、入り口が狭く、奥のほうが広い構造を設けて、当該返し状構造および／またはピペット盲管端の突起形状の変形力により脱着自在にピペットを保持できることが好ましく、あるいは、鍵穴のように例えば長方形状のような非円形状の穴を設けて、差し込んでピペットを９０度ほど回せば抜けなくなるという構造にすることもできる。前記盲管構造（９）は、先の貫通した穴のように、圧迫部係留部（３）の略中央部に局在した形態で有ってもよいし、圧迫部係留部（３）のほぼ全幅に渡って広がっている形状で有ってもよく、極端な場合は、盲管構造（９）が圧迫部係留部（３）となっている場合もあり得る。
【符号の説明】
【００２７】
１  ；  圧迫部
１ａ；  手持補助部
２  ；  ピペット保持部
２´；  ピペット保持部側面部
３  ；  圧迫部係留部
４  ；  使い捨て型の盲管状であるピペット
４ａ；  ピペット盲管端
４a´；  ピペット盲管端上面部分図
４ｂ；  ピペット先端細孔
５ａ；  突起
５ｂ；  上端部が内部傾斜している突起
５ｃ；  内部傾斜した庇を有する突起
５ｄ；  山形上端部を有する突起
６  ；  粘着部材
７  ；  窪み部
８  ；  隆起部
８ａ；  隆起部の先細り部
９  ；  盲管構造
【図１】
2013192889.tif 000003
【図２】
2013192889.tif 000004
【図３】
2013192889.tif 000005
【図４】
2013192889.tif 000006
【図５】
2013192889.tif 000007
【図６】
2013192889.tif 000008
【図７】
2013192889.tif 000009
【図８】
2013192889.tif 000010
【図９】
2013192889.tif 000011
【図１０】
2013192889.tif 000012
【図１１】
2013192889.tif 000013
【図１２】
2013192889.tif 000014